【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
撮像手段と、前記撮像手段で得られた画像データを処理する画像処理手段と、前記画像処理手段より出力される画像データを記録する記録手段とを備えた撮像装置であって、
前記撮像手段によって取り込まれた画像データに含まれるコード画像から変換目標の色値を取得する取得手段と、
前記画像処理手段より出力される画像データに基づいて電子ビューファインダ画面を表示するとともに、該画面中に枠を表示する表示手段と、
所定の操作入力に応じて、前記電子ビューファインダ画面に表示中の画像の前記枠内に含まれる色情報に基づいて変換対象の色値を決定する決定手段と、
色空間において、前記変換対象の色値を含む所定範囲の色が前記変換目標の色値を含む所定範囲の色へ変換されるように前記画像処理手段の色変換パラメータを設定する設定手段とを備えることを特徴とする撮像装置。
【請求項２】
前記設定手段は、色変換のための３次元ルックアップテーブルのパラメータを設定することを特徴とする請求項１に記載の撮像装置。
【請求項３】
前記取得手段は、前記電子ビューファインダ画面に表示中の画像データからコード画像を抽出し前記変換目標の色値を取得することを特徴とする請求項１に記載の撮像装置。
【請求項４】
前記取得手段は、撮影済みの画像データからコード画像を抽出し、前記変換目標の色値を取得することを特徴とする請求項１に記載の撮像装置。
【請求項５】
前記コード画像は複数の色値と各色値に対する色項目名を示す情報を含み、
前記取得手段は、
前記コード画像から色項目名を取得し、
取得した色項目名を前記電子ビューファインダ画面に表示し、
ユーザによる色項目名の選択に応じて、選択された色項目に対応する色値を前記変換目標の色値として取得することを特徴とする請求項１に記載の撮像装置。
【請求項６】
前記コード画像は、さらに、撮像装置の機種情報を含み、
前記コード画像が撮像装置で使用可能かどうかを判定する判定手段を有することを特徴とする請求項１乃至５のいずれか１項に記載の撮像装置。
【請求項７】
撮像手段と、前記撮像手段で得られた画像データを処理する画像処理手段と、前記画像処理手段より出力される画像データを記録する記録手段とを備えた撮像装置であって、
所望の撮影済み画像の前記枠内に含まれる色情報に基づいて変換対象の色値を決定する決定手段と、
前記画像処理手段より出力される画像データに基づいて電子ビューファインダ画面を表示するとともに、該画面中に枠を表示する表示手段と、
前記電子ビューファインダ画面に表示された画像に含まれるコード画像から変換目標の色値を取得する取得手段と、
色空間において、前記変換対象の色値を含む所定範囲の色が前記変換目標の色値を含む所定範囲の色へ変換されるように前記画像処理手段の色変換パラメータを設定する設定手段と、
前記設定手段で設定された色変換パラメータにより前記所望の撮影済み画像に対して色変換処理を行なう変換手段とを備えることを特徴とする撮像装置。
【請求項８】
撮像手段と、前記撮像手段で得られた画像データを処理する画像処理工程を実行する制御手段と、前記画像処理工程により出力される画像データを記録する記録手段とを備えた撮像装置の制御方法であって、
前記撮像手段によって取り込まれた画像データに含まれるコード画像から変換目標の色値を取得する取得工程と、
前記画像処理工程より出力される画像データに基づいて電子ビューファインダ画面を表示するとともに、該画面中に枠を表示する表示工程と、
所定の操作入力に応じて、前記電子ビューファインダ画面に表示中の画像の前記枠内に含まれる色情報に基づいて変換対象の色値を決定する決定工程と、
色空間において、前記変換対象の色値を含む所定範囲の色が前記変換目標の色値を含む所定範囲の色へ変換されるように前記画像処理工程の色変換パラメータを設定する設定工程とを備えることを特徴とする撮像装置の制御方法。
【請求項９】
前記設定工程は、色変換のための３次元ルックアップテーブルのパラメータを設定することを特徴とする請求項８に記載の撮像装置の制御方法。
【請求項１０】
前記取得工程は、前記電子ビューファインダ画面に表示中の画像データからコード画像を抽出し前記変換目標の色値を取得することを特徴とする請求項８に記載の撮像装置の制御方法。
【請求項１１】
前記取得工程は、撮影済みの画像データからコード画像を抽出し、前記変換目標の色値を取得することを特徴とする請求項８に記載の撮像装置の制御方法。
【請求項１２】
前記コード画像は複数の色値と各色値に対する色項目名を示す情報を含み、
前記取得工程は、
前記コード画像から色項目名を取得し、
取得した色項目名を前記電子ビューファインダ画面に表示し、
ユーザによる色項目名の選択に応じて、選択された色項目に対応する色値を前記変換目標の色値として取得することを特徴とする請求項８に記載の撮像装置の制御方法。
【請求項１３】
前記コード画像は、さらに、撮像装置の機種情報を含み、
前記コード画像が撮像装置で使用可能かどうかを判定する判定工程を有することを特徴とする請求項８乃至１２のいずれか１項に記載の撮像装置の制御方法。
【請求項１４】
撮像手段と、前記撮像手段で得られた画像データを処理する画像処理工程を実行する制御手段と、前記画像処理工程により出力される画像データを記録する記録手段とを備えた撮像装置の制御方法であって、
所望の撮影済み画像の前記枠内に含まれる色情報に基づいて変換対象の色値を決定する決定工程と、
前記画像処理工程より出力される画像データに基づいて電子ビューファインダ画面を表示するとともに、該画面中に枠を表示する表示工程と、
前記電子ビューファインダ画面に表示された画像に含まれるコード画像から変換目標の色値を取得する取得工程と、
色空間において、前記変換対象の色値を含む所定範囲の色が前記変換目標の色値を含む所定範囲の色へ変換されるように前記画像処理工程の色変換パラメータを設定する設定工程と、
前記設定工程で設定された色変換パラメータにより前記所望の撮影済み画像に対して色変換処理を行なう変換工程とを備えることを特徴とする撮像装置の制御方法。
【請求項１５】
請求項８乃至１４のいずれか１項に記載の撮像装置の制御方法をコンピュータに実行させるための制御プログラム。
【請求項１６】
請求項８乃至１４のいずれか１項に記載の撮像装置の制御方法をコンピュータに実行させるための制御プログラムを格納した、コンピュータ読み取り可能な記憶媒体。
【手続補正２】
【補正対象書類名】明細書
【補正対象項目名】０００７
【補正方法】変更
【補正の内容】
【０００７】
上記課題を解決するための本発明による撮像装置は以下の構成を備える。即ち、
撮像手段と、前記撮像手段で得られた画像データを処理する画像処理手段と、前記画像処理手段より出力される画像データを記録する記録手段とを備えた撮像装置であって、
前記撮像手段によって取り込まれた画像データに含まれるコード画像から変換目標の色値を取得する取得手段と、
前記画像処理手段より出力される画像データに基づいて電子ビューファインダ画面を表示するとともに、該画面中に枠を表示する表示手段と、
所定の操作入力に応じて、前記電子ビューファインダ画面に表示中の画像の前記枠内に含まれる色情報に基づいて変換対象の色値を決定する決定手段と、
色空間において、前記変換対象の色値を含む所定範囲の色が前記変換目標の色値を含む所定範囲の色へ変換されるように前記画像処理手段の色変換パラメータを設定する設定手段とを備える。